(57)【要約】【課題】エレベータ乗場からエレベータかご内及び降車階の様子を容易に確認できるエレベータ画像認識システムを得る。【解決手段】携帯端末１は、かご５内及び降車階の乗場の画像確認を行うアプリケーションソフトを起動し、携帯端末上で画像表示要求をビル内サーバ６に対して送信する。携帯端末１とビル内サーバ６との通信は赤外線を用いて行う。携帯端末１は、本体に装備されている赤外線通信ポートを利用し、エレベータ側は各乗場またはかご５内に赤外線通信ポートを設置することにより、赤外線通信を可能とする。ビル内サーバ６は携帯端末から受信した画像表示要求に基づいて、乗場の表示器にかご内及び降車階の様子を画像で表示でき、ユーザは乗車階においてエレベータに乗車する前に、かご内及び降車階に不審者がいないかを容易に確認できる。【選択図】        図１
2004323139.tif 000002
【特許請求の範囲】
【請求項１】
エレベータのかご内及び各乗場にそれぞれ設置された画像撮像部と、
エレベータのかご内及び各乗場にそれぞれ設置され、前記画像撮像部で撮像された画像を表示する表示器と、
前記画像撮像部を指定する撮像部指定データ及び前記表示器を指定する表示器指定データを含む画像表示要求を赤外線通信で送信する携帯端末と、
前記画像撮像部及び前記表示器が接続され、エレベータのかご内及び各乗場に設けられた赤外線通信ポートを介して入力される前記携帯端末からの画像表示要求に基づいて、前記撮像部指定データに対応する画像撮像部から取得した画像データを、前記表示器指定データに対応する表示器に送信するビル内サーバと
を備えたことを特徴とするエレベータ画像確認システム。
【請求項２】
請求項１に記載のエレベータ画像認識システムにおいて、
携帯端末を識別するためのユーザ情報を顧客データとして管理する顧客データベースを有し、ユーザ情報を含む認証確認要求を前記携帯端末から無線通信により受信し、取得したユーザ情報と前記顧客データ内のユーザ情報との比較に基づいて、認証確認データを前記携帯端末へ無線通信により送信する管理センタをさらに備え、
前記携帯端末は、前記管理センタから取得した認証確認データを含む画像表示要求を送信し、
前記ビル内サーバは、認証確認データを解読して前記管理センタが与えた認証確認データであることを判断する機能を有し、取得した画像表示要求に含まれている認証確認データの解読結果に基づいて、前記撮像部指定データに対応する画像撮像部から取得した画像データを、前記表示器指定データに対応する表示器に送信する
ことを特徴とするエレベータ画像認識システム。
【請求項３】
請求項１に記載のエレベータ画像認識システムにおいて、
携帯端末を識別するためのユーザ情報を顧客データとして管理する顧客データベースを有し、ネットワークを通じて接続されたビル内サーバに対して前記顧客データを送信する管理センタをさらに備え、
前記携帯端末は、前記ビル内サーバに対してユーザ情報を含む画像表示要求を赤外線通信で送信し、
前記ビル内サーバは、ユーザ情報を含む画像表示要求を前記携帯端末から赤外線通信により受信し、取得したユーザ情報と前記管理センタから取得した顧客データ内のユーザ情報との比較に基づいて、前記撮像部指定データに対応する画像撮像部から取得した画像データを、前記表示器指定データに対応する表示器に送信する
ことを特徴とするエレベータ画像認識システム。
【請求項４】
請求項３に記載のエレベータ画像認識システムにおいて、
前記管理センタは、前記ビル内サーバに対して前記顧客データベース内の顧客データを定期的に送信し、
前記ビル内サーバは、取得した顧客データによって保有している顧客データを更新する
ことを特徴とするエレベータ画像認識システム。
【請求項５】
請求項３に記載のエレベータ画像認識システムにおいて、
前記管理センタは、前記顧客データベース内の顧客データに変更が生じる毎に前記ビル内サーバに対して更新された顧客データを送信し、
前記ビル内サーバは、取得した顧客データによって保有している顧客データを更新する
ことを特徴とするエレベータ画像認識システム。
【請求項６】
請求項１に記載のエレベータ画像認識システムにおいて、
前記携帯端末は、表示器指定データとして携帯端末を設定し、
前記ビル内サーバは、前記表示器指定データとして携帯端末が設定されている場合には、エレベータのかご内または各乗場に設けられた赤外線通信ポートを介して前記携帯端末に画像データを送信する
ことにより、携帯端末上に画像を表示することを特徴とするエレベータ画像認識システム。
【発明の詳細な説明】
【０００１】
【発明の属する技術分野】
本発明は、エレベータのかご内または各乗場の犯罪を未然に防ぐことのできるエレベータ画像認識システムに関する。
【０００２】
【従来の技術】
従来のエレベータ画像認識システムにおいては、乗りかご内にビデオカメラを設け、各階床にテレビモニタを設けるとともに、各階床に設けた表示釦により、テレビモニタの内の該当するものを指示し、指示されたテレビモニタにビデオカメラの映像を表示させ、乗りかご内及び各乗場の犯罪を未然に防ぐことのできる装置が開示されている（例えば、特許文献１参照）。
【０００３】
【特許文献１】
特開２０００−１６９０５４号公報（第１頁、第１図）
【０００４】
【発明が解決しようとする課題】
しかしながら、従来技術には次のような問題点がある。従来技術では、エレベータ乗場で乗りかごを待っている間に、乗りかご内に不審者がいるかどうかを事前に確認できるが、降車階の乗場に不審者がいるかどうかまでは事前に確認できない。また、ビデオカメラの映像を見るためには乗場で専用に設けられた表示釦を押す必要があり、操作性にも問題があった。
【０００５】
本発明は上述のような課題を解決するためになされたものであり、エレベータ乗場からエレベータかご内の様子及び降車階の乗場の様子を容易に確認できるとともに、エレベータかご内からも降車階の乗場の様子を容易に確認できるエレベータ画像認識システムを得ることを目的とする。
【０００６】
【課題を解決するための手段】
本発明に係るエレベータ画像認識システムは、エレベータのかご内及び各乗場にそれぞれ設置された画像撮像部と、エレベータのかご内及び各乗場にそれぞれ設置され、前記画像撮像部で撮像された画像を表示する表示器と、前記画像撮像部を指定する撮像部指定データ及び前記表示器を指定する表示器指定データを含む画像表示要求を赤外線通信で送信する携帯端末と、前記画像撮像部及び前記表示器が接続され、エレベータのかご内及び各乗場に設けられた赤外線通信ポートを介して入力される前記携帯端末からの画像表示要求に基づいて、前記撮像部指定データに対応する画像撮像部から取得した画像データを、前記表示器指定データに対応する表示器に送信するビル内サーバとを備えたものである。
【０００７】
【発明の実施の形態】
実施の形態１．
以下、本発明の実施の形態を添付図に基づいて説明する。図１は本発明のエレベータ画像認識システムの構成図である。エレベータを利用するユーザは、かご５内及び降車階の乗場の画像確認を行うために必要なアプリケーションソフトを携帯端末１上で起動する。つぎに、かご内と降車階の画像を乗車階の表示器３に表示させるために、撮像部指定データとしてかご内及び降車階のデータを設定し、表示器指定データとして乗車階のデータを設定する。設定された撮像部指定データ及び表示器指定データは、事前に取得した認証確認データとともに画像表示要求として赤外線信号により送信される。
【０００８】
一方、ビル内サーバ６は、エレベータのかご５内または各乗場の画像を撮像するためにかご５内及び各乗場にそれぞれ設置された画像撮像部４と、画像撮像部からの画像を表示するためにかご５内及び各乗場にそれぞれ設置された表示器３とが接続されており、所望の画像撮像部４からの画像データを所望の表示器３に表示させる制御機能を有している。複数の画像データを１台の表示器に表示させることも可能である。
【０００９】
ビル内サーバ６は、携帯端末１からの赤外線信号を、エレベータ乗場またはかご５内に設けられた赤外線通信ポート２を介して取得する。ビル内サーバ６は、取得した画像表示要求に基づいて、認証確認を行った後に、撮像部指定データに対応するかご５内及び降車階にそれぞれ設置された画像撮像部４により取り込まれた画像データを、表示器指定データに対応する乗車階に設置された表示器３に送信する。図１では、赤外線通信ポート２が表示器３に備え付けられている場合を示しているが、独立して赤外線通信ポートを設置することも可能である。
【００１０】
管理センタ８は、ユーザ登録申請された携帯端末を識別するためのユーザ情報を顧客データとして管理する顧客データベース８１を有している。なお、図１におけるネットワーク７は、ビル内サーバ６と管理センタ８との通信手段であり、通信内容については図３を用いて後述する。また、図１における無線通信基地局９及びネットワーク１０は、携帯端末１と管理センタ８との無線通信手段であり、通信内容については図２、図３を用いて後述する。
【００１１】
次に、図２を用いてかご５内及び降車階の乗場の画像確認を行うための手順の詳細を以下に説明する。図２は本発明の実施の形態１に係るかご内及び降車階の乗場の画像確認方法における通信手順の流れを示した図である。
【００１２】
かご５内及び降車階の乗場の画像確認を行いたいユーザは、あらかじめ管理センタ８にユーザ登録申請を行う。ユーザ登録申請には、かご５内及び降車階の乗場の画像確認を行う際に用いるユーザの携帯端末１の情報が含まれている。ユーザ登録申請を受けた管理センタ８は、一定の審査を経た後、顧客データベース８１内にある顧客データを更新することにより、一連のユーザ登録処理を行う（Ｓ２０１）。さらに、ユーザ登録処理によりユーザ登録申請された携帯端末を識別するために割り付けられたユーザ情報をユーザに対して知らせるために、ユーザ登録通知を行う（Ｓ２０２）。ユーザ登録通知は、図１におけるネットワーク１０及び無線通信基地局９を介して携帯端末１に無線通信にて告知することができる。
【００１３】
ユーザ登録通知を受けたユーザは、携帯端末１から管理センタ８に対してかご５内及び降車階の乗場の画像確認を行うのに必要なアプリケーションソフトを要求し（Ｓ２０３）、管理センタ８は要求に基づいてアプリケーションソフトを携帯端末１に送信する（Ｓ２０４）。Ｓ２０３及びＳ２０４は、図１におけるネットワーク１０及び無線通信基地局９を介して無線通信にて行うことができる。ユーザは、受信したアプリケーションソフトを携帯端末１上で起動する（Ｓ２０５）。
【００１４】
次に携帯端末１は、後の画像表示要求時に必要な認証確認データを取得するために、管理センタ８に対して、無線通信により認証確認要求を送信する（Ｓ２０６）。認証確認要求には携帯端末を識別するためのユーザ情報が含まれている。管理センタ８は、取得したユーザ情報と顧客データベース８１内の顧客データに登録されているユーザ情報とを比較することにより、認証確認処理を行う（Ｓ２０７）。
【００１５】
認証確認処理により、登録済みのユーザからの認証確認要求であることが分かれば、管理センタ８はユーザ登録されているユーザであることを識別するために与えられる特定の認証確認データを携帯端末１へ無線通信により送信する（Ｓ２０８）。認証確認データはあらかじめ定められたルールにより与えられ、一例としては、ある決められた解読キーにより認証確認データを解読することにより、認証確認データが正しいかを判断できるような暗号解読手法が適用できる。このような方法をとれば、ビル管理センタ６はあらかじめ解読キーを取得しておくことにより、認証確認データが正しいかを判断できることとなる。
【００１６】
携帯端末１は、認証確認データの取得が完了すると、次に所望の画像を取得するための画像撮像部を指定する撮像部指定データと、取得された所望の画像を表示するための表示器を指定する表示器指定データを設定する（Ｓ２０９）。携帯端末１は、撮像部指定データと表示器指定データの設定が完了すると、ビル内サーバ６に対して赤外線通信により画像表示要求を送信する（Ｓ２１０）。画像表示要求には撮像部指定データと表示器指定データとともに先に取得した認証確認データが含まれている。なお、以下の説明において、携帯端末１とビル内サーバ６との通信は全て赤外線通信ポート２を介した赤外線通信によって行われる。
【００１７】
ビル内サーバ６は、取得した画像表示要求から認証確認データを取り出し、解読キーを用いて解読することにより、認証確認データが正しいかを判断する（Ｓ２１１）。認証確認データが正しい場合には、取得した画像表示要求からさらに撮像部指定データと表示器指定データを取り出す。ビル内サーバ６は、取得した撮像部指定データと表示器指定データに基づいて撮像部と表示器を決定する（Ｓ２１２）。例えば撮像部指定データとしてかご５とユーザがこれから行こうとしている降車階のデータが設定されており、表示器指定データとしてユーザが今いる乗車階のデータが設定されているとする。するとビル内サーバ６は、かご５内及び降車階にそれぞれ設置された画像撮像部４により取り込まれた画像データを、乗車階に設置された表示器３に送信することとなる（Ｓ２１３）。
【００１８】
乗車階における表示器３は、ビル内サーバ６から受け取った画像データを表示する。かご５内及び降車階の画像データを１画面として表示することにより、ユーザは乗車階においてエレベータに乗車する前に、かご５内及び降車階に不審者がいないかを容易に確認できる。
【００１９】
不審者がいないことを確認した後にユーザはエレベータに乗車する（Ｓ２１４）。ビル内サーバ６はエレベータの運行制御を行うエレベータ制御盤（図示せず）とつながれており、エレベータ動作に関連する信号を取得することができる。そこで、乗車階における扉閉信号を受け取ることにより、利用者が乗車階でエレベータに乗ったと判断することができ、乗車確認が行える（Ｓ２１５）。ビル内サーバ６は、乗車確認と連動してＳ２１３の画像データ送信を終了することにより、乗車階における画像表示を終了させることができる。
【００２０】
さらにビル内サーバ６は、乗車確認と連動して降車階の画像データをかご５内に設置された表示器３に送信することができる（Ｓ２１６）。降車階の画像データをかご内の表示器３に表示することにより、ユーザはかご５内においてエレベータが降車階に到着する前に、降車階に不審者がいないかを容易に確認できる。不審者の存在がかご５内の表示器３に映し出された場合には、手前の階で降車する、あるいはエレベータ内から緊急通報するなどの行動を取ることができる。
【００２１】
次に、ビル内サーバ６は、降車階における扉開信号を受け取ることにより、ユーザが目的階に到着したと判断することができ、到着確認が行える（Ｓ２１７）。ビル内サーバ６は、到着確認と連動してＳ２１６の画像データ送信を終了することにより、かご５内における画像表示を終了させることができる。
【００２２】
実施の形態１によれば、携帯端末から撮像部指定データと表示器指定データを含む画像表示要求を送信することにより、乗場の表示器にかご内の様子及び降車階の乗場の様子を画像で表示でき、ユーザは乗車階においてエレベータに乗車する前に、かご内及び降車階に不審者がいないかを容易に確認できる。さらにエレベータに乗車した際にはかご内の表示器に降車階の乗場の様子を画像で表示でき、ユーザはかご内においてエレベータが降車階に到着する前に、降車階に不審者がいないかを容易に確認できる。
【００２３】
さらに実施の形態１によれば、顧客データに基づく認証確認処理を管理センタで行っており、セキュリティ性が高い。すなわち、携帯端末の盗難・紛失等が発生した場合には、ユーザが管理センタにその旨を通報することにより、利用禁止の情報を即座に反映することができる。さらに、あらかじめユーザ登録されたユーザのみが特定の認証確認データを取得できるため、認証確認データをチェックすることによりユーザ登録されていないユーザからの画像表示要求を受け付けないようにすることができ、不正アクセスを防止できる。
【００２４】
実施の形態２．
実施の形態１では、携帯端末１と管理センタ８との間で認証確認を行い、その結果として得られた認証確認データに基づいて携帯端末１からビル内サーバ６に画像表示要求を送信する場合の一連の流れを説明した。実施の形態２では、ビル内サーバ６があらかじめ顧客データを管理センタ８から取得しておくことにより、携帯端末１と管理センタ８との間の認証確認をなくし、ユーザ情報に基づいて携帯端末１からビル内サーバ６に画像表示要求を送信する場合の一連の流れを説明する。
【００２５】
図３は本発明の実施の形態２に係るかご内及び降車階の乗場の画像確認方法における通信手順の流れを示した図である。図３におけるステップ番号Ｓ２０１〜Ｓ２０５，Ｓ２０９，Ｓ２１２〜Ｓ２１７は図２における同一のステップ番号と同様の処理であり、処理が異なるステップに関してはステップ番号Ｓ３０１〜Ｓ３０３で記述し、以下に詳細を説明する。
【００２６】
かご５内及び降車階の乗場の画像確認を行いたいユーザは、あらかじめ管理センタ８にユーザ登録申請を行う。ユーザ登録申請には、かご５内及び降車階の乗場の画像確認を行う際に用いるユーザの携帯端末１の情報が含まれている。ユーザ登録申請を受けた管理センタ８は、一定の審査を経た後、顧客データベース８１内にある顧客データを更新することにより、一連のユーザ登録処理を行う（Ｓ２０１）。さらに、ユーザ登録処理によりユーザ登録申請された携帯端末を識別するために割り付けられたユーザ情報をユーザに対して知らせるために、ユーザ登録通知を行う（Ｓ２０２）。ユーザ登録通知は、図１におけるネットワーク１０及び無線通信基地局９を介して携帯端末１に無線通信にて告知することができる。
【００２７】
また、ビル内サーバ６に対して更新された顧客データを、ネットワーク７を介して送信する（Ｓ３０１）。Ｓ３０１における管理センタ８からビル内サーバ６への顧客データの送信は、定期的に行うこともできるし、管理センタ８で顧客データが更新されたタイミングで行うこともできる。ビル内サーバ６は取得した顧客データに基づいてユーザ情報をチェックすることができる。
【００２８】
ユーザ登録通知を受けたユーザは、携帯端末１から管理センタ８に対してかご５内及び降車階の乗場の画像確認を行うのに必要なアプリケーションソフトを要求し（Ｓ２０３）、管理センタ８は要求に基づいてアプリケーションソフトを携帯端末１に送信する（Ｓ２０４）。Ｓ２０３及びＳ２０４は、図１におけるネットワーク１０及び無線通信基地局９を介して無線通信にて行うことができる。ユーザは、受信したアプリケーションソフトを携帯端末１上で起動する（Ｓ２０５）。
【００２９】
次に携帯端末１は、所望の画像を取得するための画像撮像部を指定する撮像部指定データと、取得された所望の画像を表示するための表示器を指定する表示器指定データを設定する（Ｓ２０９）。携帯端末１は、撮像部指定データと表示器指定データの設定が完了すると、ビル内サーバ６に対して赤外線通信により画像表示要求を送信する（Ｓ３０２）。画像表示要求には撮像部指定データと表示器指定データとともにユーザ情報が含まれている。
【００３０】
ビル内サーバ６は、画像表示要求からユーザ情報を取り出し、管理センタ８から取得した顧客データ内のユーザ情報と比較し、携帯端末１から取得したユーザ情報が顧客データに登録されているものかを判断する（Ｓ３０３）。ユーザ情報が正しいと判断された場合には、取得した画像表示要求からさらに撮像部指定データと表示器指定データを取り出す。ビル内サーバ６は、取得した撮像部指定データと表示器指定データに基づいて撮像部と表示器を決定する（Ｓ２１２）。以降の処理は実施の形態１で説明したステップ番号Ｓ２１３〜Ｓ２１７の処理と同一であり、説明は省略する。
【００３１】
実施の形態２によれば、ビル内サーバは、管理センタから顧客データを取得しておくことにより、受信したユーザ情報が顧客データに登録されているユーザ情報かを識別することができる。携帯端末は一度アプリケーションソフトを取得してしまえば、管理センタとの間で認証確認要求に関連する処理を行わずに、ビル内サーバとの間でユーザ情報に基づいた画像表示要求に関連する処理を赤外線通信により行うことができ、通信費の節約が図れる。
【００３２】
実施の形態１または２では、エレベータの乗場またはかご内の表示器３に画像データを表示する場合について説明したが、次の方法で携帯端末１上にも画像表示を行うことができる。図１または図２のステップ番号Ｓ２０９のデータ設定において、所望の画像を取得するための画像撮像部を指定する撮像部指定データとともに、表示器のデータとして携帯端末を指定した表示器指定データの設定を行う。そしてステップ番号Ｓ２１０において、この撮像部指定データ及び表示器指定データを含む画像表示要求を赤外線通信でビル内サーバ６に送信する。
【００３３】
ビル内サーバ６は取得した画像表示要求に基づいて、撮像部指定データに対応する画像撮像部から取得した画像データを、エレベータのかご内または各乗場に設けられた赤外線通信ポートを介して表示器指定データに対応する携帯端末１に送信する。これにより、ユーザは表示器３以外に携帯端末１上でも画像確認が行えることとなる。
【００３４】
携帯端末上にも画像表示を行うことにより、例えばエレベータを利用するユーザに共通なかご内の画像は表示器３に表示し、ユーザ毎で異なる降車階の画像は携帯端末１上に表示することができる。このように、画像表示要求に基づいて表示内容と表示場所を切り換えることが可能となり、複数ユーザの要求を満たす画像表示を実現できる。
【００３５】
【発明の効果】
以上のように、本発明によれば、ユーザは携帯端末を利用して、エレベータ乗場からエレベータかご内の様子及び降車階の乗場の様子を容易に確認できるとともに、エレベータかご内からも降車階の乗場の様子を容易に確認できる。
【図面の簡単な説明】
【図１】本発明のエレベータ画像認識システムの構成図である。
【図２】本発明の実施の形態１に係るかご内及び降車階の乗場の画像確認方法における通信手順の流れを示した図である。
【図３】本発明の実施の形態２に係るかご内及び降車階の乗場の画像確認方法における通信手順の流れを示した図である。
【符号の説明】
１  携帯端末、２  赤外線通信ポート、３  表示器、４  画像撮像部、５  かご、６  ビル内サーバ、７  ネットワーク、８  管理センタ、９  無線通信基地局、１０  ネットワーク、８１  顧客データベース。
【図１】
2004323139.tif 000003
【図２】
2004323139.tif 000004
【図３】
2004323139.tif 000005